(57)【要約】【課題】危険な医療廃棄物を安全に処分するための装置への取り付け、及び取り扱いが容易なカセットを提供する。【解決手段】本発明は、危険な医療廃棄物等を安全に処分するための装置に取り付けられるフォイル１７のカセット３に関する。カセット３は、装置内への挿入に適した形状に予め折られる。カセット３を予め折ることにより、新たなカセット３の取り付けが簡単になる。いくつかの実施形態においては、カセット３は１つ以上のボード１１を有する。ボード１１は、カセット３の挿入に関する説明を有する印刷物１３を備えることができる。【選択図】      図８
2004244118.tif 000002
【特許請求の範囲】
【請求項１】
廃棄物を安全に処分するための装置に配置されるフォイル（１７）のカセット（３）であって、
前記装置のハウジング（１）内に取り付けられることを容易にする形状に予め折られていることを特徴とするカセット（３）。
【請求項２】
前記カセット（３）は、該カセット（３）の互いに反対の２つの辺が前記カセット（３）の他の２つの辺の上になるように折られた八角形形状に予め折られていることを特徴とする請求項１に記載のカセット（３）。
【請求項３】
前記カセット（３）は中心線（１６）に沿ってＣ字形状に折られて供給されたものであり、前記カセット（３）は前記Ｃ字形状にて前記装置内に挿入され、次に前記ハウジング（１）の中央開口部（１０）の周りに広げられたものであることを特徴とする請求項１又は２に記載のカセット（３）。
【請求項４】
前記カセット（３）が取り付け前の該カセット（３）を安定させるための１つ以上のボード（１１）及び２つ以上の紐（１２）の少なくとも一方を有することと、前記ボード（１１）が前記紐（１２）を受容するためのノッチ（１４）を有することと、前記ボード（１１）がフレーム（１）の前記中央開口部（１０）を囲繞する突状エッジ（５）と協働するための形状を有することと、の少なくとも１つを特徴とする請求項１〜３のいずれか１項に記載のカセット（３）。
【請求項５】
前記ボード（１１）が波形のファイバーボード、紙又はプラスチックから作製されること、及び前記ボード（１１）が印刷物（１３）を有すること、の少なくとも一方を特徴とする請求項４に記載のカセット（３）。
【請求項６】
前記カセット（３）が前記Ｃ字形状に折られているときに、前記１つ以上のボード（１１）が前記フォイル（１７）の上側、下側、又は内部に位置することを特徴とする請求項４又は５に記載のカセット（３）。
【請求項７】
前記カセット（３）が前記Ｃ字形状に折られているときに、少なくとも１つのボード（１１）が外側に向くことを特徴とする請求項４〜６のいずれか１項に記載のカセット（３）。
【請求項８】
前記カセット（３）が前記ハウジング（１）内に配置されて該ハウジング（１）の前記中央開口部（１０）の周りに広げられているときに、少なくとも１つのボード（１１）が上方に向くことを特徴とすることを特徴とする請求項４〜７のいずれか１項に記載のカセット（３）。
【請求項９】
中央貫通開口部内に前記フォイル（１７）を受容するための漏斗（４）が前記装置（１）の開口部（１０）に関連付けられて配置されることと、前記フォイル（１７）が前記漏斗（４）の前記中央貫通開口部内を下方に送られることとを特徴とする請求項１〜８のいずれか１項に記載のカセット（３）。
【請求項１０】
前記カセット（３）を所定の形状に保持するために、包装紙、クリップ、接着剤、溶着等が使用されることを特徴とする請求項１〜９のいずれか１項に記載のカセット（３）。
【発明の詳細な説明】
【０００１】
【発明の属する技術分野】
本発明は、危険な医療廃棄物を安全に処分するための廃棄物処理装置に関し、より詳細にはそのような装置に使用されるフォイルのカセットに関する。この装置は医療分野での使用のために開発されたものであるが、他の種類の危険な廃棄物にも使用可能であることは当業者に理解されよう。
【０００２】
【従来の技術】
現在使用されている危険な医療廃棄物を安全に処分するための装置においては、フォイルはリング状に折られた状態で供給されることが一般的であり、これは多くの場合カセットと呼ばれる。詳細な説明及び特許請求の範囲において「カセット」又は「フォイルのカセット」という表現は、装置に配置される完全なユニットを意味するものとして用いられる。従って、カセットはフォイルだけでなく部品を含む場合もある。カセットは所定の方法で折られたリング形態にて装置に配置される。フォイルの目的は、医療廃棄物が捨てられたときに直ちにそれを封入するために、短い距離だけ送られて熱封着されることである。
【０００３】
【発明が解決しようとする課題】
装置にカセットを配置する際に、所定の方法でカセットを取り付けることが困難であることは、多くのユーザーに確認されている。様々な理由によって、新しいカセットを取り付ける前にマニュアル等を読む時間がないことはしばしばある。フォイルが不適切に配置されると、装置の誤動作の危険が生じる。
【０００４】
上記の観点から、装置への適用が容易であるとともに装置が誤った処理をする危険性を低減するカセットが望まれる。
【０００５】
【課題を解決するための手段】
従って、本発明の１つの目的は、危険な医療廃棄物を安全に処分するための装置への取り付け、及び取り扱いが容易なカセットを提供することである。
【０００６】
この目的は、廃棄物を安全に処分する装置に配置されるフォイルのカセットによって達成される。
【０００７】
通常はこの装置は、中央貫通開口部を有するハウジングと、送り手段と、熱封着手段と、収集箱とを具備する。
【０００８】
上述したように、既知のカセットの多くは取り付けが困難であり、その取り付け方法を見せられた人のみがカセットを取り扱う。新規なカセットは、そのカセットに直接印刷された説明と協働して、全ての人がフォイルのカセットを取り付けることを可能にする。
【０００９】
本発明のカセットは迅速に取り付け可能であり、装置の安全性を高めるとともに誤った処理の危険性を低減させる。
【００１０】
【発明の実施の形態】
本発明は従来の装置の改良に関するものであるので、先ずその従来の装置を説明する。デザインが異なる他の類似の装置に本発明が使用可能であることは、当業者に理解されよう。
【００１１】
従来の装置は、ハウジング又は箱１の周りに構築され、ハウジング１にはカバー２が１つ又は複数のヒンジ等によって接続される。カバー２を開位置に保持するために、何らかの固定手段が配置されることが好ましい。図示された実施形態においては、ハウジングは車輪を有するスタンド２０の上に配置される。多くの種類のスタンドが車輪を具備し又は具備せずに使用可能であることは当業者に理解されよう。しかしこのような本発明にとって重要ではないことについては、これ以降は説明しない。
【００１２】
ハウジング１は、上方突状エッジ５に備えられた中央貫通開口部１０を有する。突状エッジ５は、漏斗４を受容するとともに、開口部１０のいかなる部分についてもカセットが誤って上方に配置されることを防止する。カバー２がハウジング１の上部に位置するときは、ハウジング１の開口部１０及びカバー２の開口部９は一致するように配置される。
【００１３】
従来の技術によれば、フォイル１７を有するカセット１８は、ハウジング１の突状エッジ５を囲うように配置される。カセット１８は折られたチューブの形状を有する。カセット１８が漏斗４とハウジング１との間に位置するように、漏斗４が突状エッジ５の上に配置される。フォイル１７の一方の端部は、漏斗４の外側を囲繞するカセット１８から引き出されて、漏斗４の中央を通って、ハウジング１の開口部１０を下方に貫通する。フォイル１７は、図示された実施形態では対のホイールにより構成されている送り装置６によって下方に送られる。チューブは溶着又は熱封着装置７によって熱封着される。送り装置６及び熱封着装置７は、貫通開口部１０の下方にある、ハウジング１の下方部分に配置される。
【００１４】
フォイル３の送り及び熱封着は半自動式（すなわち送り及び熱封着サイクルの開始はユーザーによってなされるが、実行は自動式に行われる）に行われる。図示された実施形態においては、送りサイクルはペダル１９を起動させることにより開始される。当業者には、ボタン、ハンドル等の適当な全ての手段が使用可能であることが理解されよう。ペダル１９が作動状態にある間は、フォイル１７は下方に送られる。ペダル１９が作動状態ではなくなったときに、熱封着装置７がフォイル１７に接触する。フォイルは、熱封着された後に予め定めた距離だけ下方に送られて、廃棄物を受容する袋を形成する。熱封着によって、廃棄物を有する複数の気密性のバッグが作製される。これらのバッグは、ハウジング１の下方に配置された収集箱８に供給される。新たなフォイル１７が挿入されたときは、そのフォイルは廃棄物を受容する前に熱封着されねばならない。
【００１５】
使用中は、廃棄物（好ましくは危険な医療廃棄物）は、フォイル１７が沿う漏斗４内に配置される。次にペダル等を起動させることにより、フォイル１７が送り装置６によって下方に送られて熱封着装置７の顎を通過する。その後、熱封着装置７の顎がフォイル１７に接触することによってフォイル１７が熱封着される。このことにより、危険な医療廃棄物はフォイルから形成された熱封着されたバッグ内に密封式に収容され、装置は危険な廃棄物の新たなバッチを受容することができる。フォイル１７は上述したように、熱封着された後に下方に送られて、新たなバッチの廃棄物を受容するための袋を形成する。
【００１６】
例え既知の装置が良好に作動しても、いくつかの場合においては、カセット１８をハウジング１に正確に配置してフォイル１７を引き出すことに関して問題が生じる。今日では、フォイル１７のカセット１８は、平坦なリング形状になるように折られて供給される。このリングは、４つの紐１２又はその類似物によって互いに保持される。カセット１８がハウジング１に配置されるときは、カセットは図４及び図５に示されるような特定の方法で折られねばならない。その特定の方法においては、最終的な挿入形態のカセット１８は平坦な八角形形状を有する。この八角形形状は、カセット１８の互いに反対の２つの辺がカセット１８の他の２つの辺の上になるように折られた形状であると言える。カセット１８が上述の方法で配置されると、紐１２が取り外され、フォイル１７の一方の端部が漏斗４に上述したように配置される。ハウジング１にカセット１８を配置する際に、所定の方法でカセット１８を折ってフォイル１７を引き出すことが困難であることは、多くのユーザーに確認されている。故に本発明は、正確に折られたカセットをハウジング１内に容易に配置するためになされたものである。
【００１７】
本発明によれば、ある方法で予め折られてハウジング１に配置されるカセット３が提供される。
【００１８】
第１の実施形態においては、カセット３はフォイル１７及び１つ以上のボード１１を有する。ボード１１はカセット３を安定させ、ボード１１の各々は、ボード１１及びフォイル１７の回りで結ばれる紐１２を受容するためのノッチ１４を有する。さらに、ボード１１は印刷物１３を有することができる。印刷物１３は、例えばカセット３のハウジング１内への配置方法の説明を有することができる。ボード１１は波形のファイバーボードから作製されることが好ましいが、当業者は様々な種類の紙、プラスチック等の多くの異なる材料が使用可能であることを理解するであろう。
【００１９】
カセット３の取り付けを容易にするために、図６〜図８に示されるように、カセット３は中心線１６に沿って折られる。従って、カセット３は「Ｃ」字のような形状を有する。
【００２０】
先に示したように、ボード１１の数は変更可能である。第１の実施形態においては２つのボード１１があり、カセット３がＣ字形状に折られているときはそれらのボード１１はフォイル１７の間で互いに対向する。従って、ボード１１はＣ字の内部に配置される。先ずカセット３は、Ｃ字形状にてハウジング１内に挿入される。次にカセット３は、ハウジングの開口部１０を囲繞するように広げられる。この配置において、ボードの印刷物１３を見ることが可能になる。印刷物１３には、ハウジング１へのカセット３の挿入、ハウジング１の開口部１０の周りにカセット３を広げる方法、及び紐１２及びボード１１を取り外す方法に関する説明が含まれていることが好ましい。カセット３は、広げられると従来のカセット１８と同じ八角形形状になり、そのときにカセット３はハウジング１に正確に取り付けられる。
【００２１】
他の実施形態においては、カセット３は１つ、２つ、３つ又は４つのボード１１を有する。ボード１１は、フォイル１７のどの側部に配置されてもよいが、取り付けに関する印刷物１３の説明が見えるように配置されることが好ましい。従ってある実施形態においては、カセット３がＣ字形状に折られているときは２つのボード１１が外側に向くように位置する。他の実施形態においては、カセット３がＣ字形状に折られているときに、あるボード１１は外側に向くように位置するが、あるボード１１はカセット３の内部に位置する。ただ１つのボード１１が使用される場合は、カセット３がＣ字形状に折られたときにそのボード１１が外側を向くように配置されることが好ましい。しかし当業者は、１つから４つのボード１１がいかなる配置であっても本発明は適用可能であることを理解するであろう。ボード１１の主目的はカセット３を安定させることである。
【００２２】
新たなカセット３が挿入されるときは、カバー２が開いて漏斗４が持ち上げられる。次に新たなフォイルのカセット３が、Ｃ字形状に折られた状態で、ハウジング１の開口部１０の一方の側に普通に配置される。次にカセット３は、ハウジング１の開口部１０を囲繞するように広げられる。ハウジングに取り付けられたときのカセット３の様々な形態が図６〜図８に示される。図６に示すように、カセットはＣ字形状にてハウジング１に配置される。ボード１１は、ハウジング１の突状エッジ５の周りに係合する凹部１５を有する。カセット３は図７に示すように広げられ、最後には図８に示すように八角形形状になる。次のステップにおいて、紐１２の結び目がほどかれ、紐１２及びボード１１が取り外される。カセット３の下側に配置される１つ以上のボード１１を有する実施形態については、ボード１１は、カセット３が装置に挿入されたときにすぐに取り外されてもよいし、カセット３が装置に挿入されたときは放置され、新たなカセット３が取り付けられる前に最初に取り外されてもよい。次に漏斗４がハウジング１の開口部１０の周りに再び配置され、それと同時にフォイル１７の端部が、上述したように引き出されて漏斗４の中央部の中に引き込まれる。最後にカバー２がフレーム１の上に動かされ、フォイル１７が下方に送られてその端部が熱封着される。これで装置の使用準備が整う。
【００２３】
カセット３は、Ｃ字形状に折られた状態でハウジング１内に挿入される必要はない。カセット３は、ハウジング１の開口部１０の回りに八角形形状で直接的に挿入されることも可能である。この場合、ハウジング１内に取り付けられるときのカセット３は、予め八角形形状に折られて（すなわち始めにＣ字形状に折られることなく）供給される。
【００２４】
さらなる選択的実施形態として、カセット３はボードを有さないが、所定の形状に予め折られる。この場合、カセット３は八角形形状で提供され挿入されるか、又はＣ字形状で提供され挿入された後に広げられる。カセット３を所定の折り曲げ形状（Ｃ字形状又は八角形形状）に保持することの補助として、カセットの周りを紙で包装する（図示せず）ことができる。カセット３の予め折られた形状を保持するために、クリップ、接着剤、溶着等のような他の手段を用いることも可能である。
【００２５】
添付図面に示されたカセット３、１８については、限定された数の折目のみが便宜のために示されている。実際の折目の数は相当数であり、故に１つのカセットのフォイル全長も相当の値であることは当業者に理解されよう。
【図面の簡単な説明】
【図１】危険な廃棄物を処理するための装置を部分的に分解した斜視図である。
【図２】図１の装置の一部の平面図である。
【図３】図２のＩＩＩ−ＩＩＩ線に沿った断面に部品を付加した図である。
【図４】従来より使用されているカセットを部分的に断面で表した斜視図である。
【図５】装置に配置されるときの形状に折られた図４のカセットの斜視図である。
【図６】本発明に係るカセットの１つの実施例の異なる状態を示す斜視図である。
【図７】本発明に係るカセットの１つの実施例の異なる状態を示す斜視図である。
【図８】本発明に係るカセットの１つの実施例の異なる状態を示す斜視図である。
【符号の説明】
１…ハウジング
２…カバー
３、１８…カセット
４…漏斗
５…突状エッジ
６…送り装置
７…熱封着装置
１７…フォイル
【図１】
2004244118.tif 000003
【図２】
2004244118.tif 000004
【図３】
2004244118.tif 000005
【図４】
2004244118.tif 000006
【図５】
2004244118.tif 000007
【図６】
2004244118.tif 000008
【図７】
2004244118.tif 000009
【図８】
2004244118.tif 000010
【外国語明細書】
2004244118.tif 000011
2004244118.tif 000012
2004244118.tif 000013
2004244118.tif 000014
2004244118.tif 000015
2004244118.tif 000016
2004244118.tif 000017
2004244118.tif 000018
2004244118.tif 000019
2004244118.tif 000020
2004244118.tif 000021
2004244118.tif 000022
2004244118.tif 000023
2004244118.tif 000024
2004244118.tif 000025
2004244118.tif 000026
2004244118.tif 000027
2004244118.tif 000028
2004244118.tif 000029
2004244118.tif 000030